(57)【要約】【課題】本発明は、各種道路の路肩、法面或は農耕地の外周面の雑草地に、道路標識、電柱、広告或は野獣防護柵等の各種支柱が設置されているが、それら支柱の外表面に接して成長しこれらを手刈り或は刈払機で除去等行っている。この際手刈りは人的疲労が大きく又作業時間を要している。他方刈払機の場合では支柱表面の近くを刈払う為注意が必要で精神的疲労と、支柱の折損、刈刃の欠損等復旧、修復に損失を生じている。【解決手段】皿状の窪みを下向きに凹として、皿状外周円の直径は、各種支柱の表面より半径方向に小径の支柱にて4cm、大径にて20cm程度の巾を持たせた直径として、皿状の窪みの深さは各種支柱の外表面近辺にて0.5〜3cmとし、更に皿状凸面外周から中心へ向う勾配は外縁から1〜3cm程度の間は水平ないしは15°程度の低勾配により構成される、雑草地に設置される各種支柱の防草鍔更に、防草鍔の片巾分割型と二分割型を提案する。【選択図】図１
2019027262.tif 000002
【特許請求の範囲】
【請求項１】
皿状窪みを下向きに凹として、皿状外周円の直径は目安として各種支柱の表面より半径方向に小径の支柱にて4cm、大径にて20cm程度の巾を持たせた直径とし、皿状の窪みは各種支柱の外表面付近にて0.5〜3cmとし、皿状凸面外周から中心へ向う勾配は、外縁から1〜3cm程度の間は、水平ないしは15°程度の低勾配に構成される雑草地に設置される各種支柱の防草鍔
【請求項２】
請求項1に於いて、各種支柱用穴径Dの半径中心が、D1(Cosecθ−1)だけ偏心し、それら半径中心から画かれる半円を直線で結んでよりなる長穴付防草鍔
【請求項３】
傾斜面に使用される長穴付防草鍔において、長穴の支柱と支柱との間隙を塞ぐ面を持たせた防草用C型止輪
【発明の詳細な説明】
【技術分野】
【０００１】
本発明は雑草が生える場所に、大小各種支柱等が設置されるが、それら支柱の廻りに雑草が生えた場合には刈払う必要が生じる。この関連分野は高速道路や一般道路の路肩や法面、サービスエリア、公園等の他、農林関係においては、野獣の侵入を防ぐ田畑周辺においても各種支柱が設けられる。これら雑草地の各種支柱廻りの草刈りの能率化に関する。
【背景技術】
【０００２】
雑草が生える高速道路や一般道路の路肩、法面や農耕地の外周、公園等の雑草地には、道路標識、電柱、広告等各種多数の目的の支柱が設けられる。これらの雑草地には保守管理上、雑草の伸びた高さによって刈払う必要がある。
この際、各種支柱或は壁等に接近している雑草を如何に安全に短時間に刈払い出来るかといった問題がある。従来の作業技術では、支柱の廻り、壁等の面は事前に鎌等で手刈りを行い、その後に機械刈りを行う。この作業は雑草地の傾斜、凹凸の他、設置間隙が長短あり作業が疲れ易く所要時間も長くなる。
この為に慎重に時間を掛けて手刈りを減らすように草刈り機で刈り払う。この作業は慎重さを保ちながら時間を掛けて行う必要があることから精神的に疲れ、作業能率も下がる。
【０００３】
ここで問題が生じるのは、作業の疲れで支柱や壁に限りなく近づけて刈り払うと支柱や壁に接触、切込み或は細かい支柱、合成樹脂製支柱等は切断する場合も発生している。
この状況では、草刈り作業側と雑草地に設けられた各種支柱等の設備管理側と両面に損失が発生している。
草刈作業側では各種支柱等への接近作業の疲れと作業能率の低下、接触した場合の刈刃の磨耗、欠損による研磨、或は刈刃の新替による作業時間損失と刈刃費用の増加、更に設備管理側への対応に労働時間の損失が生じる。
設備管理側では、支柱の補修、新替、電柱のアース線等の補修、電線等の切断補修が発生し、いずれも労働時間と設備資材費が必要となっている。
これら両面から作業マニュアルによる精神論と技能レベルを問うのではなく草刈作業側と各種設備側の損失を減らす必要がある。
【先行技術文献】
【特許文献】
【０００４】
【特許文献１】特開２０１６−１４１８２９号公報
【特許文献２】特開２００５−２９０８２号公報
【特許文献３】特開平１１−３６２５２号公報
【特許文献４】登録実用第３０９９６２３号公報
【発明の概要】
【発明が解決しようとする課題】
【０００５】
平面や傾斜を有する雑草地に、直径が1cmから30cmくらいの各種支柱を設ける場合や、蛇行や直線状の壁を有する雑草地においても、それら設備の境界近くの雑草を刈払う側と設備管理側両者に労働時間と設備資材の損失を極力減らす必要がある。その具体的な例として刈払う側において、各種支柱の廻りや蛇行直線状の壁の境界部とそれら設備に損失を与えることなく安全に、能率良く精神的疲労を少なくすることが基本的に重要である。刈払作業中に支柱や壁等の設備に接触、切込切断等した場合には、刈刃の研磨、新替の対応が必要となり労働時間の損失と経済的損失が発生し、精神的負担も大きくなる。
設備管理側においては、道路標識、電柱のアース線、広告灯の電線など切断の被害が生じた場合、刈払側と対応を行う事となり、設備の資材費補修費に加えて労務費の負担が増える事態が発生する。これら両者の利害を全体的に改善する必要がある。
【課題を解決するための手段】
【０００６】
本発明は、雑草地に各種支柱やコンクリート壁等設置する際、或は既に設置されている場合に、それらの設備と雑草地の表面境界近くに防草鍔を設けて雑草の生えるのを防ぐ。この防草鍔は、雑草地の傾斜角や地質と選ばれる防草鍔の材質によって金属製では薄く合成樹脂やゴム製では厚く適宜選択される。本発明は、設備側の条件が多岐に渡るためにこれに対応した防草鍔の提供が望まれる。
【０００７】
第一に、設置する設備に対し防草鍔はどれ程の広さがあれば良いかということで、これは目安の一例として支柱等の設備の外表面から直径5cmで5cm幅、直径10cmで5cmから7cm幅、直径が30cmを越えて直線に至るまで10cmから15cm幅程度とする。
【０００８】
第二に、材質は既設設備か新設かによって作業性はどんな材質が良いかを決めて、それに適した経済的な材質で施行する。
【０００９】
第三に、防草鍔の形状は新設の場合は一体構造を考慮するが施行上作業性が悪い場合には既設と同様に分割型を適用する。分割部はカスガイやピン等で止められる。
本発明の防草鍔の特徴の一つは、防草鍔を設置する際、外周縁が雑草地に最初に埋まり、追って内径側が雑草地を押し付けるように考慮され草刈作業中に刈刃が防草鍔の外周線に当たらないように考慮される。更に防草鍔の急斜面に設置する場合は支柱が垂直な場合防草鍔は雑草地の傾斜角に沿うよう設置されるので、防草鍔の内径D1は設置上、上下方向にCosecθ分だけ流した長円の穴が設けられる。雑草は極めて繁殖力が強く狭い隙間を通して成長するが細い茎では処理が容易となる。
【００１０】
第四に、分割型防草鍔は製品コスト、作業能率からも一体型よりは不利な場合も発生する。この対策として片側のみスリットを入れること、更に必要な場合には複数切込みを作り、一体型の利点を残し、一部カスガイ止めを考慮する。
本発明では、これらの防草鍔の設置は新設のみならず既存設備の場合でも同様に設備管理を容易にする。
【発明の効果】
【００１１】
本発明の防草鍔を、雑草地に設けられる各種支柱の雑草地との表面境界部に設けることにより草刈作業者は支柱に刈刃を限りなく近づける必要はく、防草鍔の外周部縁から2cm程度近付けるだけで各種支柱廻りの刈払いが可能となる。
この結果、雑草の刈払いを行う作業者側の立場からは作業時間の短縮と精神的疲労が少なくなる上に、刈刃の摩耗欠損新替が少なく高い技能を必要とせず作業が出来る。他方、既設の設備と保守管理する立場からは各種支柱の切傷補修新替が減り、支柱に附帯するアース線電線等の切断防止に役立つ。これらの他コンクリート壁、蛇カゴ工法を行った場合、機械作業範囲が増し、手作業の減少に役立つ。その他、農地に野獣侵入防止柵を設けた場合、夏場雑草の成長が早く夏場5〜7回の草刈りを行わないと漏電して電圧降下で効果が無くなる。この点支柱廻りの草刈りが必要なければ作業は早く完了する。
このように真夏の最中に炎天下で雑草を刈払う目的に対して高い技能を必要としないで短い時間で刈払いが可能となり精神的疲れも少なく既設設備への損傷復旧の発生も少なくなり経済的である。
【図面の簡単な説明】
【００１２】
【図１】本発明の一体型防草鍔が水平面に適用される例
【図２】同上の一体型防草鍔が傾斜面に適用される例
【図３】同上防草鍔に、装着用開口スリットを設ける例
【図４】図2、図3の長円開口部に防草用C型止輪を用いた例
【図５】本発明の2分割型防草鍔の例
【図６】2分割型防草鍔に防草用C型止輪を装着した例
【図７】本発明の防草C型止輪
【図８】分割された防草鍔の保持金具
【図９】〔Ａ〕〔Ｂ〕〔Ｃ〕従来の止めピン
【図１０】壁面対応の例（大径等）
【図１１】支柱径に対する防草鍔の半径巾
【発明を実施するための形態】
【００１３】
第一に、雑草地に設けられた支柱等に対し安全に容易に接近して草刈り出来るように支柱外表面からその直径が1cmで5cm巾を目安に防草鍔の外形を形成する。直径が10cmで5 cmから7 cm巾の外形を形成する。直径が30 cmを越えて直線に至ると10〜15 cm巾の直径の防草鍔の円形から円弧、直線へと変化し10〜20 cm巾の帯状とする。
この対応により支柱壁等への接近はこれらの防草鍔の巾Wに対して外周縁から2 cm程度の重なりの余裕で草刈りが完了出来る。この範囲は少なくとも防草鍔の外表面が雑草地の表面より出ないよう設置することが望ましい。
【００１４】
第二に、設備の支柱が壁等に安全に容易に接近可能になったがこれを支柱の円周に対して刈刃の移動を可能にするため少なくとも防草鍔は種々の支柱の外表面に対しWの巾を持った円を確保することで実現出来る。更に防草鍔外周縁は刈刃の当りを避けるためにここを最初に雑草地表面に当てて防草鍔の外表面より高くならないように設置する。この際防草鍔の内側は雑草地の盛土を収容して納まりを容易にする目的でお椀状にHだけ凹ませる。この防草鍔の設置が傾斜角θによってD1・Cosecθだけ雑草地の傾斜角分、上下方向に流れた防草鍔の隙間から生える雑草は減少する。
【００１５】
第三に、防草鍔と既設備の場合、支柱と設置した状態で装着する場合と支柱が小径の場合一旦引抜いて施工出来る場合がありこの判断を行って防草鍔を決める。新設の場合においても、防草鍔を支柱に装着して埋込、打込み等行うか施工後支柱に装着するかの事前の判断が必要である。
【００１６】
第四に、これらの防草鍔はその材質と支柱の太さ、作業手順により経済的な立場からお椀型防草鍔2、平形防草鍔3、分割型防草鍔4、部分分割型の選択を行う。
部分型防草鍔は当然薄いゴム製等曲げ易いか材料選択に考慮が必要である。
雑草地の地表面は傾斜も多様であるから例えば30°くらいの角度で防草鍔を製作し、その実状との違いは雑草地を適宜その角度に沿うように土平しに施工して対応することも可能である。
【実施例１】
【００１７】
以下は添付図に従って実施例を説明する。
「図1」は、各種支柱１の支柱直径Dに皿型防草鍔が装着され、水平な雑草地に対して実施された例を示す。
防草鍔の内径D1はその材質が高強度でない限り支柱直径Dに等しいか支柱直径より少し大き目の寸法とし防草に役立たせる。防草鍔外径D2は各種支柱径Dの大きさにより、図11の支柱径に対する防草鍔の半径巾Wを目安に設定される。
本発明の特徴の一つは、防草鍔を設定する際に、各種支柱を外表面と雑草地の交わる線が雑草地の起伏によって防草鍔を押し上げ、その外周D2の一部が雑草地面より高くされる事となる。これを防ぐため各種支柱の外表面と防草鍔の交接部近辺を必要に応じて防草鍔外径D2まで均す負担が生じて来る。これを避けるため防草鍔窪みHが設けられる。
防草鍔外径D2位置では、刈刃が切込まれないように雑草地表面より埋め込まれた状態が好ましい。
更に、刈刃追巾Lは水平か、刈刃角iでは小さく設定される。
【００１８】
「図2」は、雑草地が傾斜角θを有する場合に、防草鍔内径D1は各種支柱径Dに対して長円形となるが、雑草地は傾斜地が多種多様であるため、傾斜角θを15°、30°等に定め、設置される各種支柱廻りの雑草地面をそれらに適した防草鍔の傾斜角に合せるように地均しされる。
このようにして、防草鍔の種類を減らし、各種支柱と防草鍔の隙間からの防草を行う。
【００１９】
「図3」は、一体型防草鍔では装着設置が不都合となる場合に、一体型の利便性を保ち最小限の改造を行うものである。この場合には防草鍔の材質は弾性を有するのが好ましい。
この片側分割防草鍔3は、内径D1と偏心径Deを図2に述べたように設定される。
本発明においては、防草鍔の片巾を切断するとともに、更に追込んで残し巾wを有するものとする。
この切断部をスリットsと呼ぶこととする。
本構造では、防草鍔の弾性と相俟って装着が容易となる。スリットsは最終的にカスガイ等で固定される。〔図4〕において、後述の防草C型止輪4と、クランプ5が適用された状況を示す。
【００２０】
「図5」では、既に述べた一体型、片巾切断型の他の型式として、分割型防草鍔を提案する。
本発明は電柱等に対応し、既設か新設か、或は防草鍔がゴム製のような弾性を有しないもので適用の選択が行われる。
【００２１】
「図6」 図5に示された2分割型防草鍔4を各種支柱に装着した場合の組付要領図を示す。
防草C型止輪4とクランプ6がカスガイ7で固定される状態を示す。
【００２２】
「図7」本図は、雑草地が傾斜地の場合に、防草鍔と各種支柱の間に隙間が発生するのを防ぐためにC型止輪に広さを設けて防草し、防草C型止輪5の初期開口寸法Kから各種支柱Dまでの寸法にてバネ力を得る。この際防草C型止輪の弾性が得難い場合にはスリットsを切込み、ストップホールでバネ力を得る。これは防草C型止輪の材質とバネ力の関係から決められる。
【００２３】
「図8」は防草鍔の分割により厚み方向へのずれ、或は開口を防止する目的でプラグ6が設けられる。平面と底面の形状は同形に現れる。
【００２４】
「図9」Ａ，Ｂ，Ｃこれらは従来の止金具の採用可能な例として参考のために示す。
【００２５】
「図10」本図は直径が非常に大きい場合に、その外壁に接近する雑草を刈取る場合に作業時間の短縮と作業による疲労防止に役立つものである。
壁サイドは雑草地側に接し、刈刃が接近する面は雑草地表面より防草シートが出ないよう設置される。
【００２６】
「図11」この図は各種の支柱径に対して防草鍔の半径巾Wは肩掛け式草刈機を使用する場合等では本図程度の巾があれば作業能率の向上と疲労防止に十分効果が得られるものとして応用のため提案する。
【符号の説明】
【００２７】
１    各種支柱
２    皿型防草鍔
３    片巾分割防草鍔
４    二分割防草鍔
５    防草C型止輪
６    クランプ
７    カスガイ
８    押えピン
９    ワッシャー
１０    防草シート
D     支柱直径
D1    防草鍔内径
D2    防草鍔外径
W     防草鍔巾
L     刈刃追巾
H     防草鍔窪み
De    防草鍔偏心内径
θ    傾斜角
T     防草鍔厚さ
ｗ    切込み残巾
ｄ    ストップホール
i     刈刃受角
s     スリット
【図１】
2019027262.tif 000003
【図２】
2019027262.tif 000004
【図３】
2019027262.tif 000005
【図４】
2019027262.tif 000006
【図５】
2019027262.tif 000007
【図６】
2019027262.tif 000008
【図７】
2019027262.tif 000009
【図８】
2019027262.tif 000010
【図９】
2019027262.tif 000011
【図１０】
2019027262.tif 000012
【図１１】
2019027262.tif 000013